(57)【要約】【課題】  キャビネットの奥行き寸法を簡単に深くすることができて、十分な収納量を容易に確保し得る昇降キャビネットを提供する。【解決手段】  前面に開口部を有するキャビネット本体内に格納配置される収納部を、キャビネット本体側に設けられたスライド動作可能なガイド機構、及び基端側がガイド機構に枢支され自由端側が収納部に枢支された一対のリンクを有する昇降手段によって、開口部方向へスライド動作させると共に昇降方向に回動動作させてキャビネット本体内に出し入れすることを特徴とする。【選択図】  図７
2005312514.tif 000002
【特許請求の範囲】
【請求項１】
前面に開口部を有するキャビネット本体と、該キャビネット本体内に格納配置される収納部と、該収納部をキャビネット本体内に出し入れする昇降手段と、を備えた昇降キャビネットであって、
前記収納部は、昇降手段による開口部方向へのスライド動作と昇降方向への回動動作によって、前記キャビネット本体内に出し入れされることを特徴とする昇降キャビネット。
【請求項２】
前記昇降手段は、キャビネット本体側に設けられたスライド動作可能なガイド機構と、基端側が前記ガイド機構に枢支され自由端側が前記収納部に支持された一対のリンクを有し、前記ガイド機構をスライド動作させて前端の上昇位置に設定した状態において、前記リンクが回動動作することにより収納部が昇降されることを特徴とする請求項１に記載の昇降キャビネット。
【請求項３】
前記上昇位置において、リンクの回動軸側の枢軸がキャビネット本体の開口部近傍に位置することを特徴とする請求項２に記載の昇降キャビネット。
【請求項４】
前記昇降手段は、収納部を前記上昇位置でロックすると共に該ロック状態を収納部の前記上昇位置から後方へのスライド動作によって解除するロック機構を有することを特徴とする請求項２または３に記載の昇降キャビネット。
【請求項５】
前記ロック機構は、ロック部で連結された一対のリンクバーを有し、該リンクバーが前記上昇位置において直線状のロック状態に設定されると共に、収納部でロック部が後方側に押圧されることにより一対のリンクバーが折曲されて前記ロック状態が解除されることを特徴とする請求項４に記載の昇降キャビネット。
【請求項６】
前記リンクバーは、その支持側端部がキャビネット本体の側板とガイド機構の少なくとも一方に所定方向に移動可能に支持されていることを特徴とする請求項５に記載の昇降キャビネット。
【発明の詳細な説明】
【技術分野】
【０００１】
本発明は、システムキッチン等のキッチンのカウンター上方に、例えばウォールキャビネットとして設置される昇降キャビネットに関する。
【背景技術】
【０００２】
従来、この種の昇降キャビネットとしては、例えば特許文献１に開示されている。この昇降キャビネット１０１は、図９に示すように、キャビネットとしての収納ボード１０２の両側内面に固定された収納部昇降支持ユニット１０３と、この昇降支持ユニット１０３に基端側が枢軸１０４ａ、１０４ｂで枢支された平行リンク１０５ａ、１０５ｂと、この平行リンク１０５ａ、１０５ｂの自由端部が枢軸１０６ａ、１０６ｂを介して連結された取付け座１０７と、この取付け座１０７にその側板が固定された収納部１０８等で構成されている。
【０００３】
そして、上昇位置である図９の実線で示す格納状態から、収納部１０８の把手を持って前方下方に引っ張ることにより、側板に固定された取付け座１０７を介して、平行リンク１０５ａ、１０５ｂが枢軸１０４ａ、１０４ｂを中心に図の矢印ニ、ホの如く回動して、収納部１０８が収納ボード１０２内から図９の二点鎖線で示す下降位置まで引き出されるようになっている。
【特許文献１】特開平７−１４８０３０号公報
【発明の開示】
【発明が解決しようとする課題】
【０００４】
しかしながら、このような昇降キャビネット１０１においては、昇降可能な収納部１０８が、平行リンク１０５ａ、１０５ｂの収納ボード１０２の両側内面に固定的に設けられた収納部昇降支持ユニット１０３の枢軸１０４ａ、１０４ｂを中心に回動して昇降されるため、収納部１０８の奥行き寸法を例えば一般的な３５０ｍｍ程度から大きく（深く）したい場合に、収納部１０８の後端下部と収納ボード１０２の底板前端部とが干渉することになる。
【０００５】
そこで、この干渉を避けるために、図９に示すように収納部１０８の側板の下端後端部１０８ａを所定寸法カットする構造も考えられるが、カットした分、収納部１０８の収納量が減少してしまい、また、この構造の場合でも奥行き寸法の増加に限度があって、例えば６５０ｍｍ程度の奥行き寸法の収納キャビネット１０１に対応することが困難となる。特に、キッチンの多様化が要求される近年において、この種のキャビネットへの収納量の増加が要望されており、前記昇降キャビネット１０１ではこのような要望に的確かつ容易に対応することが難しい。
【０００６】
本発明は、このような事情に鑑みてなされたもので、その目的は、キャビネットの奥行き寸法を簡単に深くすることができて、十分な収納量を容易に確保し得る昇降キャビネットを提供することにある。
【課題を解決するための手段】
【０００７】
かかる目的を達成すべく、本発明のうち請求項１に記載の発明は、前面に開口部を有するキャビネット本体と、該キャビネット本体内に格納配置される収納部と、該収納部をキャビネット本体内に出し入れする昇降手段と、を備えた昇降キャビネットであって、前記収納部は、昇降手段による開口部方向へのスライド動作と昇降方向への回動動作によって、前記キャビネット本体内に出し入れされることを特徴とする。
【０００８】
そして、前記昇降手段は、請求項２に記載の発明のように、キャビネット本体側に設けられたスライド動作可能なガイド機構と、基端側が前記ガイド機構に枢支され自由端側が前記収納部に枢支された一対のリンクを有し、前記ガイド機構をスライド動作させて前端の上昇位置に設定した状態において、前記リンクが回動動作することにより収納部が昇降されることが好ましい。この場合、請求項３に記載の発明のように、前記上昇位置において、リンクの回動軸側の枢軸がキャビネット本体の開口部近傍に位置することが好ましい。
【０００９】
また、前記昇降手段は、請求項４に記載の発明のように、収納部を前記上昇位置でロックすると共に該ロック状態を収納部の前記上昇位置から後方へのスライド動作によって解除するロック機構を有することが好ましい。
【００１０】
この場合、前記ロック機構は、請求項５に記載の発明のように、ロック部で連結された一対のリンクバーを有し、該リンクバーが前記上昇位置において直線状のロック状態に設定されると共に、収納部でロック部が後方側に押圧されることにより一対のリンクバーが折曲されて前記ロック状態が解除されることが好ましい。さらに、前記リンクバーは、請求項６に記載の発明のように、その支持側端部がキャビネット本体の側板とガイド機構の少なくとも一方に所定方向に移動可能に支持されていることが好ましい。
【発明の効果】
【００１１】
本発明の請求項１に記載の発明によれば、収納部が、昇降手段による本体キャビネットの開口部方向へのスライド動作と本体キャビネットに対する昇降方向への回動動作によって、キャビネット本体内に出し入れされるため、収納部をキャビネット本体の開口部側に引き出した状態で回動動作により出し入れできて、収納部の奥行き寸法が大きい場合であっても、キャビネット本体に干渉することなくスムーズに出し入れでき、十分な収納量を有する昇降キャビネットを容易に得ることができる。
【００１２】
また、請求項２に記載の発明によれば、請求項１に記載の発明の効果に加え、収納部のガイド機構をスライド動作させて上昇位置に設定した状態において、リンクが回動動作することで収納部が下降位置まで下降もしくは上昇位置に上昇されるため、上昇位置を所定に設定することで、収納部の奥行き寸法に係わらず該ユニットをキャビネット本体に対して確実かつスムーズに昇降動作させることができる。
【００１３】
また、請求項３に記載の発明によれば、請求項２に記載の発明の効果に加え、上昇位置としてのリンクの回動軸側の枢軸がキャビネット本体の開口部近傍に設定されるため、収納部の奥行き寸法に係わらず、該ユニットをキャビネット本体の前方で一層スムーズに昇降動作させることができる。
【００１４】
また、請求項４に記載の発明によれば、請求項２または３に記載の発明の効果に加え、ロック機構により収納部が上昇位置でロックされると共に、このロック状態が収納部の上昇位置から後方の格納位置へのスライド動作によって解除されるため、収納部を上昇位置から格納位置に確実に移動させることができると共に、収納部のガイド機構が該ユニットの上昇完了前に後方に移動することがなくなり、例えばガイド機構によるキャビネット本体への接触等を確実に防止することができる。
【００１５】
また、請求項５に記載の発明によれば、請求項４に記載の発明の効果に加え、ロック機構の直線状のロック状態で収納部が上昇位置に保持されると共に、ロック状態の解除が収納部の後方移動で自動的に行われるため、簡易な操作で収納部を上昇位置や格納位置に確実かつ容易に位置させることができる。
【００１６】
また、請求項６に記載の発明によれば、請求項５に記載の発明の効果に加え、ロック機構のリンクバーの支持側端部が、キャビネット本体の側板とガイド機構の少なくとも一方に所定方向に移動可能に支持されているため、リンクバーのロック状態の解除がスムーズに行われ、収納部の良好なスライド動作を得ることができる。
【発明を実施するための最良の形態】
【００１７】
以下、本発明の実施の形態を図面に基づいて詳細に説明する。
図１〜図８は、本発明に係わる昇降キャビネットの一実施形態を示し、図１がその正面図、図２がその縦断面図、図３が収納部の引き出し状態の斜視図、図４及び図５が図２のＡ−Ａ線及びＢ−Ｂ線に沿ったガイド機構部分の断面図、図６がリンクバーの支持側端部の斜視図、図７及び図８が収納部及びロック機構の動作説明図である。
【００１８】
図１〜図３において、昇降キャビネット１は、左右の側板２ａ、天板２ｂ、底板２ｃ及び背面板２ｄとで前面に開口部２ｅを有する如く箱状に形成されたキャビネット本体２と、このキャビネット本体２内に出し入れされる収納部３と、キャビネット本体２の前記開口部２ｅを閉塞する開閉可能な一対の扉４（図２参照）等を有している。
【００１９】
前記収納部３は、左右の側板３ａと底板３ｂ及び背面板３ｃによって上面と前面が開口する形状に形成され、その側板２ａ間の下部と高さ方向の中間位置には網棚５が配設されている。また、収納部３の前端下部には、左右の側板３ａ間に位置するようにハンドル６が設けられ、このハンドル６の両端部は、ハンドルリンク７を介して収納部３の側板３ａの上部に突出する状態で設けられた連結部８に連結されている。この時、連結部８内にはハンドルリンク７の先端部に連結された図示しない例えばカム等が配設されて、このカムが連結部８の円弧状の溝８ａ（図２参照）に沿って移動することにより、ハンドル６による収納部３の昇降動作がその姿勢を格納状態と略同一に維持しつつスムーズに行えるようになっている。
【００２０】
なお、収納部３は、その図２に示す奥行き寸法が例えばＬ１＝６００ｍｍ程度に設定され、これに応じて、キャビネット本体２の奥行き寸法もＬ２＝６５０程度と、従来の昇降キャビネットに比較して大きく（深く）なるように形成されている。そして、この収納部３の左右の連結部８と、前記キャビネット本体２の左右の側板２ａとの間に、収納部３をキャビネット本体２に対して出し入れさせる昇降装置９（昇降手段）がそれぞれ配設されている。なお、左右の昇降装置９は、左右対称の同一構造に形成されているため、以下、同一箇所には同一符号を付して説明する。
【００２１】
昇降装置９は、図２及び図３に示すように、前後一対のリンク１０、１１と、このリンク１０、１１の基端部を支持するガイド機構１５と、このガイド機構１５とキャビネット本体２の側板２ａの上部内面に固定されたブラケット１７との間に配設されたロック機構１６等を備えている。
【００２２】
前記一対のリンク１０、１１は、回動時に互いに干渉しないように図２に示す形状の平行リンクで形成され、一方のリンク１０の基端部が前記ガイド機構１５を構成するキャビネット本体２のガイド１５ａの前端下部に枢軸１３ａによって枢支され、他方のリンク１１の基端部がガイド１５ａの前方上部に枢軸１３ｂによって枢支されている。この時、前後一対のリンク１０、１１のうち、後方側のリンク１１は、略「く」の字状に屈曲形成され、その屈曲部には後方側に所定長さ突出して略垂直な押圧面を有するロック機構押圧部１８が一体形成されている。
【００２３】
また、各リンク１０、１１は、収納部３がキャビネット本体２内に格納された図２の格納位置Ｓ１において、その自由端部が略上方に向かって延びて収納部３の連結部８に枢軸１２ａ、１２ｂによって枢支されている。これにより、一対のリンク１０、１１は、その基端部がガイド１５ａに回動自在でその自由端部が連結部８に回動自在に連結されており、所定角度回動して所定位置に設定されることにより、収納部３が前記格納位置Ｓ１から前端位置である上昇位置Ｓ２（図７参照）及び引き出し位置である下降位置Ｓ３の各位置に設定されるようになっている。
【００２４】
なお、前後一対のリンク１０、１１の形状は本例に限定されず、収納部３のスライド動作や回動動作に互いに干渉しない適宜の形状が採用できるし、前記ロック機構押圧部１８の形状もリンク１１への一体形成に限らず、例えば別体で形成しその先端部に弾性材等が固着された棒状のロック機構押圧部を、ロック機構１６に対して最適押圧状態が得られるように所定方向に指向させてリンク１１に取り付ける構造等を採用することもできる。
【００２５】
前記ガイド機構１５は、図４及び図５に示すように、収納部３の側板３ａの下部外面側に設けられ、リンク１０，１１の基端部が連結されている。そして、ガイド機構１５の前後方向の上下部にそれぞれ例えば３個のガイドローラ１９を有する板状の前記ガイド１５ａと、キャビネット本体２の側板２ａの下部内面に固定された断面略コ字状の前記カイドレール１５ｂを有し、ガイドレール１５ｂの上下のガイド部にガイド１５ａのガイドローラ１９が摺接するように構成されている。
【００２６】
そして、ガイド１５ａのガイドローラ１９がガイドレール１５ｂに沿って摺接しつつ移動することにより、収納部３がガイドレール１５ｂが固定されたキャビネット本体２に対して開口部２ｅ方向である図２の矢印イ方向にスライド移動可能とされている。なお、このガイド機構１５のガイド１５ａやガイドレール１５ｂの構造は、本例に限定されず、例えばガイド１５ａとガイドレール１５ｂを逆配置したり、ガイドレール１５ｂ側にガイドローラ１９を設ける等、他の適宜構造のガイド機構１５を採用することができるし、ガイド１５ａやガイドレール１５ｂ自体も適宜形状を採用できる。
【００２７】
前記ロック機構１６は、図２に示すように、一対のリンクバー１６ａ、１６ｂと、このリンクバー１６ａ、１６ｂを屈曲可能に連結するロック部１６ｃを有し、収納部３の格納位置Ｓ１において、一方のリンクバー１６ａの支持側端部が略上方に延びてキャビネット本体２の側板２ａ内面の後端上部に固定されたブラケット１７に連結され、他方のリンクバー１６ｂの支持側端部が略下方に延びて前記ガイド１５ａに連結されている。この時、リンクバー１６ａの支持側端部は、図６に示すように、ブラケット１７に設けた横方向の長溝１７ａに軸１４ａを介して移動かつ回動可能に支持され、リンクバー１６ｂの支持側端部は、図２及び図５に示すように、ガイド１５ａに設けた縦方向の長溝２０に軸１４ｂを介して移動かつ回動可能に支持されている。
【００２８】
また、ロック機構１６のロック部１６ｃは、収納部３が開口部２ｅ方向にスライド移動されて一対のリンクバー１６ａ、１６ｂが図３に示すように直線状になった際に、ロック状態とされてリンクバー１６ａ、１６ｂを直線状態に維持し、収納部３を前端位置である上昇位置Ｓ２に保持すると共に、ロック部１６ｃが後方（キャビネット本体２の背面板２ｄ方向）側に所定圧で押された際に、ロック状態を解除して一対のリンクバー１６ａ、１６ｂがロック部１６ｃを中心に「く」の字状に折れ曲がるようになっている。このロック機構１６により、格納位置Ｓ１から上昇位置Ｓ２にスライド移動された収納部３が、該上昇位置Ｓ２に保持されたり、下降位置Ｓ３から上昇位置Ｓ２を介して格納位置Ｓ１までスムーズに格納動作されるようになっている。
【００２９】
なお、このロック機構１６を直線状のロック状態に設定した際の、ガイド１５ａ側の前記枢軸１３ａ、１３ｂは、キャビネット本体２の開口部２ｅより外側に位置する等、収納部３の上昇位置Ｓ２から下降位置Ｓ３への回動動作時に、収納部３の底板３ｂの後端がキャビネット本体２の底板２ｃ前端に干渉しないように設定されている。このロック機構１６も図示したリンク式に限定されず、収納部３を上昇位置Ｓ２と格納位置Ｓ１に保持し得る例えば巻き取りリール式構造等の適宜の機構を採用することができる。
【００３０】
次に、このように構成された昇降キャビネット１の動作を図７及び図８等を参照して説明する。先ず、収納部３が図２に示すようにキャビネット本体２内に完全に格納されて前面の開口部２ｅが扉４で閉塞可能な、図７の二点鎖線で示す格納位置Ｓ１において、収納部３の前面下部のハンドル６を手で持って所定力で前方に引っ張ると、収納部３の格納位置Ｓ１での後述するロック状態が解除されて、ガイド１５ａがガイドレール１５ｂに沿って前方にスライド移動して、図７の実線で示す上昇位置Ｓ２で停止する。
【００３１】
この時、格納位置Ｓ１の収納部３が前方にスライド移動すると、収納部３の移動可能なガイド１５ａに連結されたロック機構１６も図２に示す「く」の字状の格納位置Ｓ１から、下方のリンクバー１６ｂの下端が徐々に前方に移動して「く」の字が崩れて、最終的に直線状に設定される。このロック機構１６が直線状に設定される位置が、前記上昇位置Ｓ２となる。
【００３２】
この上昇位置Ｓ２において、ロック機構１６のロック部１６ｃがロック状態とされて、一対のリンクバー１６ａ、１６ｂの折れ曲がりが禁止されると共に、各リンクバー１６ａ、１６ｂの支持側端部の軸１４ａ、１４ｂがブラケット１７の長溝１７ａの端部やガイド１５ａの長溝２０の端部に位置してその移動が禁止される。これにより、収納部３の前方への移動が禁止されて、収納部３がキャビネット本体２の開口部２ｅから前方に所定距離突出した状態となる。また、この時、収納部３のガイド１５ａは、その後端側がガイドレール１５ｂで支持されると共にその前端側がキャビネット本体２外に位置する状態となり、ガイド１５ａに設けたリンク１０、１１の枢軸１３ａ、１３ｂがキャビネット本体２の開口部２ｅの前方に位置することになる。
【００３３】
この上昇位置Ｓ２でハンドル６を手で持って収納部３を斜め下方に引っ張ると、一対のリンク１０、１１の自由端部の枢軸１２ａ、１２ｂが、リンク１０、１１の回動軸となる枢軸１３ａ、１３ｂを中心にして図７の矢印ロ、ハの如く回動して二点鎖線で示す略水平な状態に設定される。このリンク１０、１１が略水平となる状態が収納部３の下降位置Ｓ３であり、この下降位置Ｓ３への設定で収納部３がキャビネット本体２に対して低い引き出し位置に設定され、この下降位置Ｓ３で例えばハンドル６に連結して設けた図示しないストッパ機構により収納部３が該位置Ｓ３に自動的にロックされて、収納部３の網棚５上に収納された収納物の取り出しや収納等が可能となる。
【００３４】
なお、収納部３の上昇位置Ｓ２から下降位置Ｓ３への下降動作時に、各リンク１０、１１が連結部８に回動自在に枢支されると共にハンドル６に連結されたハンドルリンク７等により、収納部３の姿勢が格納状態のままの姿勢、すなわち網棚５が略水平な姿勢を維持しつつ下降することになり、下降動作時の網棚５上の収納物の落下等が防止されるようになっている。
【００３５】
一方、下降位置Ｓ３にある収納部３をキャビネット本体２内に格納する場合は、下降位置Ｓ３の収納部３のハンドル６を、例えば所定方向に回転させて前記ストッパ機構のロック状態を解除しつつ上方に押し上げる。収納部３が押し上げられると、その連結部８に枢支されたリンク１０、１１が枢軸１３ａ、１３ｂを中心に前記矢印ロ、ハと反対方向に回動して、収納部３が上昇位置Ｓ２に設定される。この収納部３の下降位置Ｓ３から上昇位置Ｓ２への上昇動作時にも、収納部３の姿勢は下降時と同様に略水平に維持される。
【００３６】
次に、収納部３が上昇位置Ｓ２に設定されたら、ハンドル６をキャビネット本体２の背面板２ｄ方向である後方側に所定距離押し込んで、図８に示すように、リンク１１の前記ロック機構押圧部１８をロック機構１６のロック部１６ｃに当接させ、この状態でさらに収納部３を後方に押し込む。この収納部３の押し込みにより、リンク１１のロック機構押圧部１８でロック機構１６のロック部１６ｃが後方側に押圧されて、そのロック状態が解除され、リンクバー１６ａ、１６ｂが「く」の字状に徐々に折れ曲がることになる。
【００３７】
このロック機構１６のロック状態の解除時に、一対のリンクバー１６ａ、１６ｂの支持側端部が、軸１４ａ、１４ｂを介してブラケット１７の長溝１７ａやガイド１５ａの長溝２０に移動可能に支持されていることから、これらの長溝１７ａ、２０に沿って移動しつつリンクバー１６ａ、１６ｂが折れ曲がることになり、ロック機構１６の後方側へのスムーズな移動が可能となる。また、ロック機構１６がガイド１５ａより必ず後方側に位置して移動することになり、収納部３の格納位置Ｓ１へのスライド移動時に、ガイド１５ａが先に移動してキャビネット本体２の背面板２ｄに当接すること等もなくなる。
【００３８】
そして、収納部３がガイドレール１５ｂに沿って後方側に所定距離移動して、ロック機構１６が図２に示す「く」の字状に設定されると、この位置が格納位置Ｓ１となり、例えばロック機構１６のロック部１６ｃ（もしくは別途設けた図示しないストッパ機構）がロック状態に設定される。これにより、収納部３がキャビネット本体２内の格納位置Ｓ１に格納され、キャビネット本体２の開口部２ｅを扉４で閉塞することにより、収納部３のキャビネット本体２に対する出し入れ操作が完了することになる。
【００３９】
つまり、この昇降キャビネット１の場合、収納部３をキャビネット本体２に対して前後（奥行き）方向にスライド移動させることで、収納部３の回動支点となる枢軸１３ａ、１３ｂを前方の開口部２ｅ近傍の昇降位置Ｓ２に位置させ、この昇降位置Ｓ２で収納部３が昇降方向に回動動作することになって、リンク１０、１１の回動軸側の枢軸１３ａ、１３ｂの移動距離に対応した分、収納部３の奥行き寸法Ｌ１を大きくできることになる。また、収納部３を下降位置Ｓ３から格納位置Ｓ１に格納する際に、収納部３が一旦上昇位置Ｓ２まで回動動作された後に後方へスライド動作されて、収納部３がキャビネット本体２内にスムーズに格納されることになる。
【００４０】
このように、上記実施形態の昇降キャビネット１にあっては、収納部３が、キャビネット本体２の開口部２ｅ方向へのスライド動作とキャビネット本体２に対する上下（昇降）方向への回動動作によって、キャビネット本体２内に出し入れされるため、収納部３をキャビネット本体２の開口部２ｅ側に引き出した状態で回動動作により昇降できて、収納部３の奥行き寸法Ｌ１が大きい場合であっても、キャビネット本体２に干渉することなくスムーズに出し入れできて、十分な収納量を有する昇降キャビネット１を容易に得ることができる。
【００４１】
また、収納部３を開口部２ｅ方向にスライド動作させて昇降位置Ｓ２に設定した状態において、収納部３に設けたリンク１０、１１が枢軸１３ａ、１３ｂを中心に回動動作することで収納部３が下降位置Ｓ３まで下降したり、下降位置Ｓ３から上昇位置Ｓ２まで上昇するため、リンク１０、１１の枢軸１３ａ、１３ｂをキャビネット本体２の開口部２ｅより例えば前方に位置させることができて、収納部３の奥行き寸法Ｌ１に係わらず該収納部３をキャビネット本体２に対して確実かつスムーズに昇降動作させることができる。
【００４２】
さらに、収納部３がロック機構１６により上昇位置Ｓ２でロック状態にされると共に、このロック状態が収納部３の上昇位置Ｓ２から後方の格納位置Ｓ１へのスライド動作によって解除されるため、収納部３を後方に押すだけで上昇位置Ｓ２から格納位置Ｓ１に移動させることができ、その際、収納部３のガイド１５ａが収納部３の上昇完了前に後方に移動することがなくなり、収納部３の上昇動作時に不用意にガイド１５ａが移動して収納部３がキャビネット本体２に接触したりすることを防止することができる。
【００４３】
また、ロック機構１６の直線状のロック状態で収納部３が上昇位置Ｓ２に保持されると共に、このロック状態の解除が収納部３の後方移動で自動的に行われるため、収納部３を上昇位置Ｓ２や格納位置Ｓ３に簡易な操作で確実かつ簡単に位置させることができる。さらにまた、ロック機構１６のリンクバー１６ａ、１６ｂの支持側端部が、キャビネット本体２の側板２ａと収納部３のガイド１５ａに横方向や縦方向の長溝１７ａ、２０に移動可能に支持されているため、リンクバー１６ａ、１６ｂの折れ曲がりが良好となり、ロック機構１６のロック状態の解除をスムーズに行うことができる。
【００４４】
また、収納部３のスライド動作や回動動作時に、収納部３の連結部８に回動可能に枢支されたリンク１０、１１等により、収納部３を収納時と同一姿勢に維持できて、収納物の安定した収納や出し入れ操作が可能になると共に、収納部３の前端下部に設けたハンドル６の引き出し及び押し上げ操作で、収納部３をキャビネット本体２に対して容易に出し入れできる。これらのことから、収納部３の昇降動作や出し入れ動作を一層スムーズに行うことができて、前記収納量の増加と併せ、ユーザーの要望に的確に対応し得る使い勝手に優れた例えばシステムキッチン用の昇降キャビネット１を得ることが可能となる。
【００４５】
なお、上記実施形態においては、収納部３のスライド動作や回動動作をハンドル６による手動操作で行うように構成したが、本発明はこれに限定されず、例えばスイッチ操作で回転する電動モータの駆動力を利用した電動式に構成しても良い。また、上記実施形態においては、収納部３の上昇位置Ｓ２を、開口部２ｅの前方に設定したが、収納部３の奥行き寸法等の形状やキャビネット本体２の形状等によっては、開口部２ｅの内側等、開口部２ｅの近傍に設定するようにしても良い。
【００４６】
さらに、上記実施形態においては、ロック機構１６のロック部１６ｃのロック解除をリンク１１に設けたロック機構押圧部１８で行うように構成したが、収納部３やロック機構１６の構造によっては、ロック機構押圧部を収納部３の側板３ａや背面板３ｃ等に設けて、このロック機構押圧部でロック解除するようにしても良い。また、上記実施形態における、収納部３の全体形状や網棚５、ハンドル６やハンドルリンク７、連結部８の形状、キャビネット本体２の全体形状等も一例であって、本発明に係わる各発明の要旨を逸脱しない範囲において適宜の構成を採用することができる。
【産業上の利用可能性】
【００４７】
本発明は、システムキッチンに限らず、例えば一般的なキッチンのシンク上方に設置される昇降キャビネット等にも適用できる。
【図面の簡単な説明】
【００４８】
【図１】本発明に係わる昇降キャビネットの一実施形態を示す正面図
【図２】同その縦断面図
【図３】同収納部の引き出し状態の説明図
【図４】同図２のＡ−Ａ線に沿ったガイド機構部分の断面図
【図５】同図２のＢ−Ｂ線に沿ったガイド機構部分の断面図
【図６】同ロック機構のリンクバーの支持側端部の斜視図
【図７】同収納部の動作説明図
【図８】同ロック機構の動作説明図
【図９】従来の昇降キャビネットの概略側面図
【符号の説明】
【００４９】
１・・・昇降キャビネット、２・・・キャビネット本体、２ａ・・・側板、３・・・収納部、３ａ・・・側板、５・・・網棚、６・・・ハンドル、７・・・ハンドルリンク、８・・・連結部、１０、１１・・・リンク、１２ａ、１２ｂ・・・枢軸、１３ａ、１３ｂ・・・枢軸（回動軸側）、１４ａ、１４ｂ・・・軸、１５・・・ガイド機構、１５ａ・・・ガイド、１５ｂ・・・ガイドレール、１６・・・ロック機構、１６ａ、１６ｂ・・・リンクバー、１６ｃ・・・ロック部、１７・・・ブラケット、１７ａ・・・長溝、１８・・・ロック機構押圧部、１９・・・ガイドローラ、２０・・・長溝、Ｓ１・・・格納位置、Ｓ２・・・上昇位置、Ｓ３・・・下降位置。
【図１】
2005312514.tif 000003
【図２】
2005312514.tif 000004
【図３】
2005312514.tif 000005
【図４】
2005312514.tif 000006
【図５】
2005312514.tif 000007
【図６】
2005312514.tif 000008
【図７】
2005312514.tif 000009
【図８】
2005312514.tif 000010
【図９】
2005312514.tif 000011